【手続補正書】
【提出日】平成25年1月15日(2013.1.15)
【手続補正１】
【補正対象書類名】特許請求の範囲
【補正対象項目名】全文
【補正方法】変更
【補正の内容】
【特許請求の範囲】
【請求項１】
蝸牛インプラント電極であって、該蝸牛インプラント電極は、
インプラントハウジングから蝸牛オストミーの開口部へ電気刺激信号を搬送するための複数の電極線を含む蝸牛外電極リードと、
該複数の電極線を含み、該蝸牛オストミーの開口部から蝸牛階内を通り、対象の神経組織に該電気刺激信号を適用するための複数の電極接触で終端する蝸牛内電極アレイと
を含み、
該電極リードの該電極線のうちの１つ以上の電極線は、関連するリードの形状を有し、該電極アレイの該電極線のうちの１つ以上の電極線は、該リードの形状とは異なる関連するアレイの形状を有する、蝸牛インプラント電極。
【請求項２】
請求項１に記載の電極であって、前記アレイの形状は、前記リードの形状と振幅が異なる、電極。
【請求項３】
請求項１に記載の電極であって、前記形状のうちの少なくとも１つは、反復するなめらかに変化する波を含む、電極。
【請求項４】
請求項１に記載の電極であって、前記形状のうちの少なくとも１つは、一連のコイル状のループを含む、電極。
【請求項５】
請求項１に記載の電極であって、前記電極リードの前記１つ以上の電極線は、前記リードの形状がない部分を含む、電極。
【請求項６】
請求項５に記載の電極であって、前記電極リードの前記１つ以上の電極線は、前記リードの形状がない部分の両側に前記リードの形状を有する部分を含む、電極。
【請求項７】
請求項１に記載の電極であって、前記電極アレイの前記１つ以上の電極線は、前記アレイの形状がない部分を含む、電極。
【請求項８】
請求項７に記載の電極であって、前記電極アレイの前記１つ以上の電極線は、前記アレイの形状がない部分の両側に前記アレイの形状を有する部分を含む、電極。
【請求項９】
請求項７に記載の電極であって、前記アレイの形状がない前記電極アレイの前記１つ以上の電極線の部分は、該電極アレイを前記蝸牛階内へ押し込むために堅い、電極。
【請求項１０】
請求項１に記載の電極であって、前記リードの形状を有する前記電極リードの前記１つ以上の電極線は、周期的に再帰する異なる第二のリードの形状を有する部分を含む、電極。
【請求項１１】
請求項１に記載の電極であって、前記電極アレイの前記１つ以上の電極線は、複数の異なるアレイの形状を有する、電極。
【請求項１２】
請求項１に記載の電極であって、更に、
外部衝撃の影響に抵抗するために、前記電極リードの一部分の周りに衝撃補強要素
を含む、電極。
【請求項１３】
請求項１２に記載の電極であって、前記衝撃補強要素はポリマー素材である、電極。
【請求項１４】
請求項１２に記載の電極であって、前記衝撃補強要素は金属素材である、電極。
【請求項１５】
請求項１に記載の電極であって、前記電極線は、楕円形の断面を有する、電極。
【請求項１６】
請求項１に記載の電極であって、前記形状のうちの少なくとも１つは、反復するなめらかに変化する波を含む、電極。
【請求項１７】
請求項１に記載の電極であって、前記形状のうちの少なくとも１つは、一連のコイル状のループを含む、電極。
【手続補正２】
【補正対象書類名】明細書
【補正対象項目名】００１１
【補正方法】変更
【補正の内容】
【００１１】
更にこのような特定の実施形態では、ポリマーおよび／または金属素材が、衝撃補強要素に対して使用され得る。衝撃補強要素は、例えば、丸線またはリボン線素材から、らせん状バネの形状を形成し得る。衝撃補強要素は、筒状の形状を形成し得、衝撃補強要素の機械的性質を制御するための切れ目のパターンを含み得る。その上またはその代わりに、衝撃補強要素は、電極リードの本体に組み込まれ得る。
本発明は、例えば、以下の項目も提供する。
（項目１）
蝸牛インプラント電極であって、該蝸牛インプラント電極は、
インプラントハウジングから蝸牛オストミーの開口部へ電気刺激信号を搬送するための複数の電極線を含む蝸牛外電極リードと、
該複数の電極線を含み、該蝸牛オストミーの開口部から蝸牛階内を通り、対象の神経組織に該電気刺激信号を適用するための複数の電極接触で終端する蝸牛内電極アレイと
を含み、
該電極リードの１つ以上の電極線は、関連するリードの形状を有し、該電極アレイの１つ以上の該電極線は、該リードの形状とは異なる関連するアレイの形状を有する、蝸牛インプラント電極。
（項目２）
項目１に記載の電極であって、前記アレイの形状は、前記リードの形状と振幅が異なる、電極。
（項目３）
項目１に記載の電極であって、前記形状のうちの少なくとも１つは、反復するなめらかに変化する波を含む、電極。
（項目４）
項目１に記載の電極であって、前記形状のうちの少なくとも１つは、一連のコイル状のループを含む、電極。
（項目５）
項目１に記載の電極であって、前記電極リードの１つ以上の電極線は、前記リードの形状がない部分を含む、電極。
（項目６）
項目５に記載の電極であって、前記電極リードの１つ以上の電極線は、前記リードの形状がない部分の両側に前記リードの形状を有する部分を含む、電極。
（項目７）
項目１に記載の電極であって、前記電極アレイの１つ以上の電極線は、前記アレイの形状がない部分を含む、電極。
（項目８）
項目７に記載の電極であって、前記電極アレイの１つ以上の電極線は、前記アレイの形状がない部分の両側に前記アレイの形状を有する部分を含む、電極。
（項目９）
項目７に記載の電極であって、前記アレイの形状がない前記電極アレイの１つ以上の電極線の部分は、該電極アレイを前記蝸牛階内へ押し込むために堅い、電極。
（項目１０）
項目１に記載の電極であって、前記リードの形状を有する前記電極リードの１つ以上の電極線は、周期的に再帰する異なる第二のリードの形状を有する部分を含む、電極。
（項目１１）
項目１に記載の電極であって、前記電極アレイの前記１つ以上の電極線は、複数の異なるアレイの形状を有する、電極。
（項目１２）
項目１に記載の電極であって、更に、
外部衝撃の影響に抵抗するために、前記電極リードの一部分の周りに衝撃補強要素
を含む、電極。
（項目１３）
項目１２に記載の電極であって、前記衝撃補強要素はポリマー素材である、電極。
（項目１４）
項目１２に記載の電極であって、前記衝撃補強要素は金属素材である、電極。
（項目１５）
項目１に記載の電極であって、前記電極線は、楕円形の断面を有する、電極。
（項目１６）
項目１に記載の電極であって、前記形状のうちの少なくとも１つは、反復するなめらかに変化する波を含む、電極。
（項目１７）
項目１に記載の電極であって、前記形状のうちの少なくとも１つは、一連のコイル状のループを含む、電極。
（項目１８）
蝸牛インプラント電極であって、該蝸牛インプラント電極は、
インプラントハウジングから蝸牛オストミーの開口部へ電気刺激信号を搬送するための複数の電極線を含む蝸牛外電極リード、
該複数の電極線を含み、該蝸牛オストミーの開口部から蝸牛階内を通り、対象の神経組織に該電気刺激信号を適用するための複数の電極接触で終端する蝸牛内電極アレイ、および、
外部衝撃の影響に抵抗するための該電極リードの一部分の周りの衝撃補強要素
を含む、蝸牛インプラント電極。
（項目１９）
項目１８に記載の蝸牛インプラント電極であって、ポリマー素材が前記衝撃補強要素に対して使用される、蝸牛インプラント電極。
（項目２０）
項目１８に記載の蝸牛インプラント電極であって、金属素材が前記衝撃補強要素に対して使用される、蝸牛インプラント電極。
（項目２１）
項目１８に記載の蝸牛インプラント電極であって、前記衝撃補強要素は、らせん状バネの形状を形成する、蝸牛インプラント電極。
（項目２２）
項目２１に記載の蝸牛インプラント電極であって、丸線素材が前記衝撃補強要素に対して使用される、蝸牛インプラント電極。
（項目２３）
項目２１に記載の蝸牛インプラント電極であって、リボン線素材が前記衝撃補強要素に対して使用される、蝸牛インプラント電極。
（項目２４）
項目１８に記載の蝸牛インプラント電極であって、前記衝撃補強要素は、筒状の形状を形成する、蝸牛インプラント電極。
（項目２５）
項目２４に記載の蝸牛インプラント電極であって、前記衝撃補強要素は、該衝撃補強要素の機械的性質を制御するための切れ目のパターンを含む、蝸牛インプラント電極。
（項目２６）
項目１８に記載の蝸牛インプラント電極であって、前記衝撃補強要素は、前記電極リードの本体に組み込まれている、蝸牛インプラント電極。